(57)【要約】【課題】外光の反射を少なくすることにより屋外等でも見やすくするとともに、表示素子の端部において透明樹脂シートを剥れにくくすることでさらに見やすさを向上することができる表示装置及びこれを用いた携帯端末装置を実現する。【解決手段】表示素子２が収容される表示装置フレーム３の外枠部５の高さを表示素子２の表面より低くした状態で保護カバー１と表示素子２を弾力性のある透明樹脂シート６で貼り合せる。これにより、表示装置２の端部で透明樹脂シート６が剥れにくくなり、屋外等でも見やすい表示装置及び表示装置を備える携帯端末装置を実現できる。【選択図】図１
2010157957.tif 000002
【特許請求の範囲】
【請求項１】
表示装置フレームと、
前記表示装置フレームに収容された表示素子と、
前記表示素子を保護する保護カバーと、
弾力性があって両面が粘着性を有する透明樹脂シートと、を有し、
前記表示素子と前記保護カバーとが、前記透明樹脂シートで貼り合され、
前記表示装置フレームは、前記表示装置の側面の少なくとも一部を覆う外枠部を有し、
前記外枠部は、前記表示素子の高さよりも高さが低い
表示装置。
【請求項２】
表示装置フレームと、
前記表示装置フレームに収容された表示素子と、
前記表示素子を保護する保護カバーと、
弾力性があって両面が粘着性を有する透明樹脂シートと、を有し、
前記表示素子と前記保護カバーとが、前記透明樹脂シートで貼り合され、
前記表示装置フレームは、前記表示装置の側面の少なくとも一部を覆う外枠部を有し、
前記外枠部と前記保護カバーとの距離が前記表示素子と前記保護カバーとの距離よりも離れている
表示装置。
【請求項３】
表示装置フレームと、
前記表示装置フレームに収容された表示素子と、
前記表示素子を保護する保護カバーと、
弾力性があって両面が粘着性を有する透明樹脂シートと、を有し、
前記表示素子と前記保護カバーとが、前記透明樹脂シートで貼り合され、
前記表示装置フレームは、前記表示装置の側面の少なくとも一部を覆う外枠部を有し、
前記外枠部と前記透明樹脂シートとが接触していない
表示装置。
【請求項４】
前記保護カバーは、外周部の裏面に印刷枠を有し、
前記印刷枠の内周のサイズは、前記表示素子の外周のサイズより小さく、
前記印刷枠の内周よりも前記表示素子の外周が外側になるように配置された
請求項１乃至請求項３のいずれか１項に記載の表示装置。
【請求項５】
前記保護カバーは、外周部の裏面に印刷枠を有し、
前記表示素子の外周部において、前記印刷枠と前記表示素子とは、少なくとも一部が互いに上下方向に重なる位置に配置された
請求項１乃至請求項３のいずれか１項に記載の表示装置。
【請求項６】
前記保護カバーは、外周部の裏面に印刷枠を有し、
前記透明樹脂シートは、前記表示素子の外周部において、少なくとも一部が前記印刷枠と前記表示素子との間に挟まれている
請求項１乃至請求項３のいずれか１項に記載の表示装置。
【請求項７】
表示素子と、
前記表示素子を保護する保護カバーと、
弾力性があって両面が粘着性を有する透明樹脂シートと、を有し、
前記表示素子と前記保護カバーとが、前記透明樹脂シートで貼り合され、
前記透明樹脂シートの外周のサイズが前記保護カバーの外周サイズと略等しい
表示装置。
【請求項８】
前記表示素子は、液晶表示素子である
請求項１乃至請求項７のいずれか１項に記載の表示装置。
【請求項９】
前記表示装置フレームは、バックライトを有する
請求項１乃至請求項８のいずれか１項に記載の表示装置。
【請求項１０】
請求項１乃至請求項９のいずれか１項に記載の表示装置を備える
携帯端末装置。
【請求項１１】
前記保護カバーの裏面の外周部と当該携帯端末装置の筐体とが両面テープで固定された
請求項１０に記載の携帯端末装置。
【請求項１２】
前記表示装置の裏面と当該携帯端末装置の筐体との間に配置された応力緩衝材を備える
請求項１０又は請求項１１に記載の携帯端末装置。
【発明の詳細な説明】
【技術分野】
【０００１】
本発明は、ＬＣＤ（液晶表示素子）などの表示装置及び表示装置を備える携帯電話機などの携帯端末装置に関するものである。
【背景技術】
【０００２】
携帯電話機などの携帯端末装置を屋外で使用する場合には、外光が表示装置（液晶ディスプレイなど）の保護カバーで反射するため見にくくなっていた。
【０００３】
図５に従来の携帯端末装置の筐体に固定された表示素子と保護カバーの断面構造の一例を示す。
【０００４】
図５において、携帯端末装置は、筐体７と、ＬＣＤ（液晶表示素子）などの表示素子２と、バックライト４を含む表示装置フレーム３と、アクリルなどの材質からなる透明な保護カバー１とを備える。
【０００５】
表示素子２は、両面テープ９を用いて表示装置フレーム３に固定される。次に、表示装置フレーム３は、両面テープ９を用いて携帯端末装置の筐体７に固定される。さらに、保護カバー１の外周は、携帯端末装置の筐体７へ両面テープ９を用いて固定される。
【０００６】
表示装置フレーム３は、ＬＣＤ２の外周の側面を覆う外枠部５を有しており、ＬＣＤ２と表示装置フレーム３の相対位置を規定する。表示装置フレーム３の外枠の高さは、ＬＣＤを置いたときにＬＣＤ表面の高さより少し高くなっていて、バックライトの光がＬＣＤ外周から外に漏れることを防ぐとともに、ＬＣＤ表面に直接外力が加わりにくい構造となっている。
【０００７】
保護カバー１の裏面の外周部には、光を通さない印刷枠８が施されており、ＬＣＤ周囲から漏れた不要光が外部に漏れないようになっている。
【０００８】
ＬＣＤ等の表示素子２の表面と保護カバー１の裏面の間には空気層が存在し、保護カバー１に外力が加えられてもＬＣＤ等の表示素子２表面に保護カバーが接触して、ＬＣＤ等の表示素子２の表面に応力が加わりにくい構造になっている。
【０００９】
しかしながら、このような従来の構成では、表示素子２と保護カバー１との間には空気層が存在する。このため、表示素子２の表面と保護カバー１の表側と裏側との少なくとも３つの光反射面が存在し、外光の反射が大きくなって表示装置の表示画面が見にくくなる大きな原因となっていた。
【００１０】
そこで、この課題を解決するために、携帯端末装置の表示装置とアクリルなどの材質からなる保護カバー裏面との間の空気層の位置に、アクリルなどとほぼ同じ屈折率（約１．５）の透明樹脂を充填することにより、表示装置表面と保護カバー裏面の光反射を低減することが知られている。例えば、充填する透明樹脂として液状材料を用いることで、液晶表示素子（ＬＣＤ）への応力が少ない貼り合せを実現できる（例えば、特許文献１参照）。また、別の例として、透明樹脂シートを介して保護カバーとＬＣＤとを真空中で貼り合せることも知られている（例えば、特許文献２参照）。
【特許文献１】特開平５−０１１２３９号公報
【特許文献２】特開平７−１１４０１０号公報
【発明の開示】
【発明が解決しようとする課題】
【００１１】
図６に、従来の保護カバーとＬＣＤの間の空気層を透明樹脂シート６を用いて充填したときの表示装置の周辺部の断面構造図を示す。透明樹脂は弾力性を有しているため、保護カバーとＬＣＤのギャップのばらつきが数１００μｍ（ミクロン）程度以下であれば保護カバーとＬＣＤとの間を隙間なく埋めることができる。
【００１２】
図７は、保護カバーとＬＣＤの端部の拡大断面図である。保護カバー１の外周部の裏面に施された印刷枠８は一般に数十ミクロンの厚さである。従って、図７のｂの部分における保護カバーとＬＣＤ間のギャップがａの部分よりも狭くなる。このため、ａよりもｂの部分の透明樹脂シート６には上下方向に大きな圧力が加わっている。すなわち、透明樹脂シートの外周部分には圧縮応力が加わっているため、透明樹脂シート６とＬＣＤ等の表示素子２及び、透明樹脂シート６と保護カバー１との間の接着面が剥れにくくなっている。
【００１３】
さらに、表示装置フレーム３の外枠部５の高さは、ＬＣＤ等の表示素子２の表面より上にあることから、図７のｃの部分のギャップは、ｂよりもさらに狭くなっている。このため、図７のｃの部分は、図７のｂの部分よりもさらに圧縮された状態になっている。従って、ｃの部分の外枠部５と保護カバー１との間の透明樹脂シート６はさらに剥れにくくなっている。
【００１４】
しかしながら、上記の従来構造では以下のような課題があった。すなわち、透明樹脂シート６のｃの部分はｂの部分よりも薄いため、ｂとｃの境目の樹脂が変形する。そして、図７の矢印Ａ及びＢの方向に力が加わり、長期間放置すると次第にＬＣＤ等の表示素子２の端部ｄと透明樹脂シート６との接着面が剥れやすくなる（すなわち、ＬＣＤ等の表示素子２の端部において、透明樹脂シート６がＬＣＤ等の表示素子２の端部から剥れやすくなる）。そして、ＬＣＤ等の表示素子２の端部の透明樹脂シート６が剥がれると、外光の反射が多くなるので、屋外等においてＬＣＤ等の表示装置が見にくくなるという課題を有していた。
【課題を解決するための手段】
【００１５】
前記従来の課題を解決するために、本発明は、表示装置フレームと、前記表示装置フレームに収容された表示素子と、前記表示素子を保護する保護カバーと、弾力性があって両面が粘着性を有する透明樹脂シートと、を有し、前記表示素子と前記保護カバーとが、前記透明樹脂シートで貼り合され、前記表示装置フレームは、前記表示装置の側面の少なくとも一部を覆う外枠部を有し、前記外枠部は、前記表示素子の高さよりも高さが低い表示装置とした。
【００１６】
また、本発明は、表示装置フレームと、前記表示装置フレームに収容された表示素子と、前記表示素子を保護する保護カバーと、弾力性があって両面が粘着性を有する透明樹脂シートと、を有し、前記表示素子と前記保護カバーとが、前記透明樹脂シートで貼り合され、前記表示装置フレームは、前記表示装置の側面の少なくとも一部を覆う外枠部を有し、前記外枠部と前記保護カバーとの距離が前記表示素子と前記保護カバーとの距離よりも離れている表示装置とした。
【００１７】
また、本発明は、表示装置フレームと、前記表示装置フレームに収容された表示素子と、前記表示素子を保護する保護カバーと、弾力性があって両面が粘着性を有する透明樹脂シートと、を有し、前記表示素子と前記保護カバーとが、前記透明樹脂シートで貼り合され、前記表示装置フレームは、前記表示装置の側面の少なくとも一部を覆う外枠部を有し、前記外枠部と前記透明樹脂シートとが接触していない表示装置とした。
【００１８】
さらに、本発明は、前記保護カバーは、外周部の裏面に印刷枠を有し、前記印刷枠の内周のサイズは、前記表示素子の外周のサイズより小さく、前記印刷枠の内周よりも前記表示素子の外周が外側になるように配置されたものを含むこととした。
【００１９】
さらに、本発明は、前記保護カバーは、外周部の裏面に印刷枠を有し、前記表示素子の外周部において、前記印刷枠と前記表示素子とは、少なくとも一部が互いに上下方向に重なる位置に配置されたものを含むこととした。
【００２０】
さらに、本発明は、前記保護カバーは、外周部の裏面に印刷枠を有し、前記透明樹脂シートは、前記表示素子の外周部において、少なくとも一部が前記印刷枠と前記表示素子との間に挟まれているものを含むこととした。
【００２１】
また、本発明は、表示素子と、前記表示素子を保護する保護カバーと、弾力性があって両面が粘着性を有する透明樹脂シートと、を有し、前記表示素子と前記保護カバーとが、前記透明樹脂シートで貼り合され、前記透明樹脂シートの外周のサイズが前記保護カバーの外周サイズと略等しい表示装置とした。
【発明の効果】
【００２２】
本発明の表示装置及び表示装置を備える携帯端末装置によれば、透明樹脂シートにより外光の反射を少なくすることにより屋外等でも見やすくするとともに、表示素子の端部において透明樹脂シートが表示素子から剥れにくくすることでさらに見やすさを向上することができる。
【発明を実施するための最良の形態】
【００２３】
以下、本発明の実施の形態について、図面を用いて説明する。
【００２４】
（実施の形態１）
図１に、透明樹脂シートを用いて保護カバーと表示素子とを貼り合せた表示装置を有する本発明の実施の形態１の携帯端末装置の断面構造図を示す。なお、表示装置を有する携帯端末装置としては、例えば、携帯電話機、ＰＨＳ、ディジタルスチルカメラ等が考えられる。
【００２５】
プラスチック材料などからなる表示装置フレーム３にはバックライト４が内蔵されている。表示装置フレーム３の外周には外枠部５があり、外枠部５の内側に表示素子２（液晶素子（ＬＣＤ））を収容することができる。ＬＣＤと表示装置フレーム３は両面テープ９または接着剤で固定されている。表示装置フレーム３の外枠部５は、ＬＣＤと表示装置フレーム３の相対位置を規定する。
【００２６】
ここで、外枠部５はＬＣＤを表示装置フレーム３に収容したときにＬＣＤ表面の高さよりわずかに低くなっている。この点が、従来の表示装置フレームとは異なる本発明の実施の形態１の表示装置フレームのポイントとなる部分である。但し、外枠部５を低くしすぎると、外枠部５の本来の機能の一つであるバックライト光の漏れ防止機能が低下するので、数１０から数１００μｍ（マイクロメートル）以上は低くしないことが望ましい。
【００２７】
次に、表示装置フレーム３に表示素子２（ＬＣＤ）を固定したものと保護カバー１を透明樹脂シート６を介して貼り合せを行う。ここで、保護カバー１は、アクリルなどの材料からなる透明なカバーである。保護カバー１は、表示素子２を保護するために用いられる。透明樹脂シート６は、弾力性のある両面が粘着性を有する樹脂でできており、例えば真空中で貼り合せることで気泡が混入することなく貼り合せが実現できる。真空中の貼り合せ方法は例えば特許文献２に記載されている。ここで、表示装置フレーム３と、ＬＣＤ等の表示素子２と、保護カバー１と、弾力性があって両面が粘着性を有している透明樹脂シート６とを有し、ＬＣＤ等の表示素子２と保護カバー１とを透明樹脂シート６で貼り合せたものを表示装置と呼ぶこととする。ここで、透明樹脂シート６として、保護カバー１（アクリルなど）の屈折率（約１．５）とほぼ同じ屈折率（約１．５）の透明樹脂材料のものを用いることにより、表示素子２の表面での光反射と、保護カバー１の裏面での光反射を低減することができる。この結果、見やすさを向上することができる。
【００２８】
この状態において、本発明の実施の形態１の表示装置フレームのポイントを再度説明する。すなわち、図１に示すように、表示装置フレーム３は、表示装置の外周の側面の少なくとも一部を覆う外枠部５を有している。また、このように、表示素子２が表示装置フレーム３に収容され、さらに、表示素子２と保護カバー１とを透明樹脂シート６で貼り合わされた状態で、外枠部５と保護カバー１との距離が表示素子２と保護カバー１との距離よりも離れている。言い換えれば、表示素子２が表示装置フレーム３に収容され、さらに、表示素子２と保護カバー１とを透明樹脂シート６で貼り合わせた状態で、外枠部５と透明樹脂シート６との間に空間が存在することにより、両者が接触していない。
【００２９】
このような構成にすることにより、本実施の形態１の表示装置及び携帯端末装置は、表示素子２の端部において透明樹脂シート６を表示素子２から剥れにくくすることができる（この点について、後で、図２を用いて再度説明する。）。この結果、透明樹脂シート６が剥れることによる外光の反射の増加を抑えることができるので、さらに見やすさを向上することができる。
【００３０】
次に、保護カバー１の裏面に貼り合わされたＬＣＤよりも外側の保護カバー１の外周部分と携帯端末装置の筐体７の枠に両面テープ９を用いて固定する。ここで、両面テープ９の代わりに接着剤を用いてもよい。従来のように表示装置フレーム３の裏面（下部）と携帯端末装置の筐体７は両面テープなどで固定はしていない。表示装置フレーム３の裏面と筐体７を固定すると、透明樹脂シート６や表示装置や携帯端末装置の筐体７の厚さが製造ばらつきにより薄くなった場合に、透明樹脂シート６に引っ張り応力が加わる可能性があり剥れの要因になるからである。
【００３１】
なお、引っ張り応力が加わらないようにするために、図３に示すように、表示装置フレーム裏面と筐体の間に例えばスポンジなどの応力緩衝材１０を挿入してもよい。
【００３２】
図２に、表示装置の端部の拡大断面構造を示す。保護カバー１の裏面の印刷枠８は表示素子２（ＬＣＤ）と重なり部分（ｂ）があり、ＬＣＤ端部から漏れるバックライト４光を遮断する。
【００３３】
印刷枠８の厚さはおよそ数十μｍであり、印刷枠８がない部分（ａ）よりも透明樹脂シート６の厚さが薄くなり、（ｂ）の部分の樹脂には圧縮応力がかかっている。このため、ＬＣＤの外周部分の透明樹脂シート６は剥れにくくなっている。すなわち、印刷枠８が存在することと透明樹脂シートが弾性力を有していることとにより透明樹脂シートが端部から剥れにくくなることを防止している。
【００３４】
透明樹脂シート６はＬＣＤサイズよりもひとまわり大きく、表示装置フレーム３の外枠部５の上部に透明樹脂シート６の部分（ｃ）が存在する。ここで、従来の構成では、外枠部５の高さがＬＣＤ表面より高かったため、透明樹脂シート６のｃの部分が外枠部５と印刷枠８とにより圧縮応力を受けていた。これに対して、本発明の実施の形態１の構成では、外枠部５がＬＣＤ等の表示素子２の表面よりも低いので、透明樹脂シート６に接触していない、このため、図２のｃの部分（外枠部５と透明樹脂シート６とが上下方向に重なる位置）では、透明樹脂シート６には応力が加わらない構造になっている。この構成により、ＬＣＤ等の表示素子２の端部（図２のｂの部分）において、透明樹脂シート６と表示素子２の接着面を剥がす力が存在しなくなり、剥れにくくすることができる。
【００３５】
さらに、ＬＣＤ等の表示素子２の端部（図２のｂの部分）において、印刷枠８と表示素子２とにより圧縮応力を受けて接着力が強くなり、さらに剥れにくくすることができる。ここで、この状態を言い換えれば、保護カバー１は、外周部の裏面に印刷枠８を有し、表示素子２の外周部において、印刷枠８と表示素子２とは、少なくとも一部が互いに上下方向に重なる位置に配置されているとも言える。また、透明樹脂シート６は、表示素子２の外周部において、少なくとも一部が印刷枠８と表示素子２との間に挟まれているとも言える。いずれにしても、これらの結果、透明樹脂シート６が表示素子２から剥れることによる外光の反射の増加を抑えることができるので、さらに見やすさを向上することができる。
【００３６】
このように、本実施の形態１の表示装置及びこれを備えた携帯端末装置は、外光の反射を少なくすることにより屋外等でも見やすくするとともに、表示素子２の端部において透明樹脂シート６が剥れにくくすることでさらに見やすさを向上することができる。
【００３７】
なお、透明樹脂シート６を剥れにくくする別の方法として、ＬＣＤ等の表示素子２と透明樹脂シート６のサイズを同一にして、すなわち、透明樹脂シート６がＬＣＤの外側にはみ出ないようにして、図２のｃの部分をなくす方法がある。これにより外枠部５がＬＣＤ表面より高くても透明樹脂シート６に応力がかかることはなくなる。しかし、保護カバーと透明樹脂シート６、さらに透明樹脂シート６とＬＣＤ等の表示素子２の貼り合せ精度が数十μｍと非常に高いことが要求されるため、製造装置が高価になるか、あるいは製造歩留りが低下するなどの別の問題が発生する。
【００３８】
また、本実施の形態１の上記説明では、表示素子２をＬＣＤとした場合について説明したが、表示装置フレームが存在する他の表示素子（有機ＥＬディスプレイやプラズマディスプレイなど）においても同様である。
【００３９】
（実施の形態２）
図４に、実施の形態２の表示装置の断面構造図を示す。実施の形態１の保護カバー１と筐体７とを固定する両面テープ９を、実施の形態２では透明樹脂シート６で代用したものである。その他の構成は実施の形態１と同様のため、説明は省略する。
【００４０】
バックライト４が内蔵された表示装置フレーム３とＬＣＤ等の表示素子２とを両面テープ９で固定したのち、保護カバー１とＬＣＤ等の表示素子２の表面を透明樹脂シート６で貼り合せを行う。貼り合せ方法は例えば特許文献２に記載されている。透明樹脂シート６は保護カバー１の外周サイズとほぼ同じであり、ＬＣＤの外周の外側の保護カバー１の裏面にも透明樹脂シート６が存在している。透明樹脂シート６を用いて保護カバー１の裏面の外周と携帯端末装置の筐体枠を固定する。
【００４１】
本実施の形態２では、実施の形態１の保護カバー裏面外周の両面テープの代わりに、透明樹脂シートの一部を代用することにより、実施の形態１における効果に加えて、両面テープが不要となり、部品点数を削減できるという効果が得られる。
【産業上の利用可能性】
【００４２】
本発明の表示装置及びこれを備えた携帯端末装置は、透明樹脂シートにより外光の反射を少なくすることにより屋外等でも見やすくするとともに、表示素子の端部において透明樹脂シートが表示素子から剥れにくくすることでさらに見やすさを向上することができる。このため、表示装置及び表示装置を備える携帯端末装置として有用である。
【図面の簡単な説明】
【００４３】
【図１】本発明の実施の形態１の携帯端末装置の表示装置の断面構造図
【図２】本発明の実施の形態１の表示装置の端部の拡大断面構造図
【図３】本発明の実施の形態１の携帯端末装置の表示装置の断面構造図
【図４】本発明の実施の形態２の携帯端末装置の表示装置の断面構造図
【図５】従来の携帯端末装置の表示装置の断面構造図
【図６】従来の携帯端末装置の透明樹脂シートつき表示装置の断面構造図
【図７】従来の携帯端末装置の透明樹脂シートつき表示装置の端部の拡大断面構造図
【符号の説明】
【００４４】
１    保護カバー
２    表示素子
３    表示装置フレーム
４    バックライト
５    外枠部
６    透明樹脂シート
７    筐体
８    印刷枠
９    両面テープ
１０    応力緩衝材
【図１】
2010157957.tif 000003
【図２】
2010157957.tif 000004
【図３】
2010157957.tif 000005
【図４】
2010157957.tif 000006
【図５】
2010157957.tif 000007
【図６】
2010157957.tif 000008
【図７】
2010157957.tif 000009